(57)【特許請求の範囲】
【請求項１】
所定の圧縮符号化方式で圧縮符号化された視聴プログラムを圧縮信号の形態で記録再生可能な信号記録再生装置であり、
前記圧縮信号の形態の視聴プログラムをリムーバブルである第１の記録媒体に記録再生可能な第１の記録再生手段と、
前記圧縮信号の形態の視聴プログラムをリムーバブルでない第２の記録媒体に記録再生可能な第２の記録再生手段とを少なくとも備え、
前記第２の記録媒体に記録されている各視聴プログラムには、各視聴プログラム毎に視聴済みであるか否かのフラグ及び消去プロテクトを施すか否かのフラグが付されており、前記第２の記録媒体に新たな視聴プログラムを記録する際に、前記フラグを参照して視聴済み且つ消去プロテクトされていない視聴プログラムが記録される領域に前記新たな視聴プログラムを記録する一方、
前記領域が存在しない場合には、視聴済み且つ消去プロテクトされている視聴プログラムを再生すると共にこれを前記第１の記録再生手段で記録し、前記再生を終えた領域に前記新たな視聴プログラムを記録することを特徴とする信号記録再生装置。
【請求項２】
前記第２の記録媒体に新たな視聴プログラムを記録する際に、前記第２の記録媒体上に視聴済みの視聴プログラムが存在しない場合、前記第２の記録媒体上の未視聴の視聴プログラムを再生すると共にこれを前記第１の記録再生手段で記録し、前記第２の記録媒体上で再生を終えた領域に前記新たな視聴プログラムを記録することを特徴とする請求項１記載の信号記録再生装置。
【請求項３】
前記第２の記録再生手段で再生した圧縮信号の形態の視聴プログラムに前記圧縮符号化方式の伸長処理を施すデコーダと、
前記デコーダで伸長処理した視聴プログラムに前記圧縮符号化方式の圧縮処理を施すエンコーダとを備え、
前記第２の記録再生手段で再生した視聴プログラムを前記第１の記録再生手段で記録する際には、前記圧縮信号より低ビットレートである高圧縮信号を前記エンコーダが出力するよう前記エンコーダが制御され、
前記エンコーダが出力する前記高圧縮信号の形態の前記視聴プログラムを前記第１の記録再生手段が記録することを特徴とする請求項１又は２記載の信号記録再生装置。
【発明の詳細な説明】
【０００１】
【発明の属する技術分野】
本発明は、テレビジョン放送等の映像音声信号を記録するのに好適な映像音声信号記録再生装置に関する。
【０００２】
【従来の技術】
テレビジョン放送等の映像音声信号を記録再生する装置として、ＶＨＳ（登録商標）方式のビデオテープレコーダが広く普及しているが、テレビジョン放送のディジタル化に伴い、映像音声信号をディジタル信号の形態のまま記録再生できるディジタルテープレコーダが開発され、普及しつつある。
【０００３】
このディジタルテープレコーダは、ディジタルの信号形態で入来するディジタル映像音声信号あるいはアナログの信号形態で入来するアナログ映像音声信号をディジタルの信号形態に変換したディジタル映像音声信号をテープ記録媒体に長時間記録できるという特徴を有する一方、記録した映像音声信号のランダムアクセスに時間を要する。
【０００４】
また、近年、ＨＤＤを用いた映像音声信号の記録再生装置が出現したが、このＨＤＤを用いた記録再生装置は、記録した映像音声信号のランダムアクセスを素早く行えるという特徴を有する一方、映像音声信号の記録時間が短く、装置内部に設けられた記録媒体に記録できる記録時間を超えて映像音声信号を記録することができないという欠点があった。
【０００５】
【発明が解決しようとする課題】
このような状況の中、テープ記録再生装置とディスク記録再生装置との２つの記録再生装置を組み合わせた映像音声信号記録再生装置が開発されつつあるが、夫々の記録媒体及び記録装置の特徴を生かしつつ、テープ装置とディスク装置とをどのように使い分けるかが大きな課題となっている。
【０００６】
【課題を解決するための手段】
以上の課題を解決するために、本発明に係る信号記録再生装置は、
所定の圧縮符号化方式で圧縮符号化された視聴プログラムを圧縮信号の形態で記録再生可能な信号記録再生装置であり、
前記圧縮信号の形態の視聴プログラムをリムーバブルである第１の記録媒体に記録再生可能な第１の記録再生手段と、
前記圧縮信号の形態の視聴プログラムをリムーバブルでない第２の記録媒体に記録再生可能な第２の記録再生手段とを少なくとも備え、
前記第２の記録媒体に記録されている各視聴プログラムには、各視聴プログラム毎に視聴済みであるか否かのフラグ及び消去プロテクトを施すか否かのフラグが付されており、前記第２の記録媒体に新たな視聴プログラムを記録する際に、前記フラグを参照して視聴済み且つ消去プロテクトされていない視聴プログラムが記録される領域に前記新たな視聴プログラムを記録する一方、
前記領域が存在しない場合には、視聴済み且つ消去プロテクトされている視聴プログラムを再生すると共にこれを前記第１の記録再生手段で記録し、前記再生を終えた領域に前記新たな視聴プログラムを記録することを特徴とするものである。
【０００７】
また、本発明に係る信号記録再生装置は、
前記第２の記録媒体に新たな視聴プログラムを記録する際に、前記第２の記録媒体上に視聴済みの視聴プログラムが存在しない場合、前記第２の記録媒体上の未視聴の視聴プログラムを再生すると共にこれを前記第１の記録再生手段で記録し、前記第２の記録媒体上で再生を終えた領域に前記新たな視聴プログラムを記録することを特徴とするものである。
【０００８】
また、本発明に係る信号記録再生装置は、
前記第２の記録再生手段で再生した圧縮信号の形態の視聴プログラムに前記圧縮符号化方式の伸長処理を施すデコーダと、
前記デコーダで伸長処理した視聴プログラムに前記圧縮符号化方式の圧縮処理を施すエンコーダとを備え、
前記第２の記録再生手段で再生した視聴プログラムを前記第１の記録再生手段で記録する際には、前記圧縮信号より低ビットレートである高圧縮信号を前記エンコーダが出力するよう前記エンコーダが制御され、
前記エンコーダが出力する前記高圧縮信号の形態の前記視聴プログラムを前記第１の記録再生手段が記録することを特徴とするものである。
【０００９】
【発明の実施の形態】
図１は本発明の実施例に係る信号記録再生装置を説明するための図であり、１はアナログテレビジョン放送等によるアナログ映像信号が入来してこれをディジタル映像信号に変換するＡ／Ｄ変換器、２はＡ／Ｄ変換器１にて変換されたディジタル映像信号にＭＰＥＧ２方式の圧縮符号化処理を施すエンコーダである。
【００１０】
なお、エンコーダ２には、後述するデコーダ５からのディジタル映像信号も供給されており、エンコーダ２は、Ａ／Ｄ変換器１からのディジタル映像信号あるいはデコーダ５からのディジタル映像信号の何れか一方を選択して圧縮符号化処理することが可能である。
【００１１】
また、３はエンコーダ２にてＭＰＥＧ２方式に圧縮符号化処理された圧縮信号あるいはディジタルテレビジョン放送等によるＭＰＥＧ２方式の圧縮信号を記録再生可能なＨＤＤ部、４はエンコーダ２からの圧縮信号を記録再生可能なＶＣＲ部であり、ＨＤＤ部３はハードディスクを記録媒体として圧縮信号を記録再生し、ＶＣＲ部４はＤ−ＶＨＳ（登録商標）方式の磁気テープを記録媒体として圧縮信号を記録再生する。そして、図示の如くＨＤＤ部３とＶＣＲ部４とは相互接続されており、夫々の記録媒体上の圧縮信号を他の記録媒体にコピーできるよう構成されている。
【００１２】
また、５はＨＤＤ部３あるいはＶＣＲ部４が再生した圧縮信号にＭＰＥＧ２方式の伸長処理を施すデコーダ、６はデコーダ５で復元したディジタル映像信号をアナログ映像信号に変換するＤ／Ａ変換器である。更に、７はＣＰＵであり、図示する信号記録再生装置の各部を制御している。
【００１３】
以上のように構成される信号記録再生装置であるが、エンコーダ２とデコーダ５とは同時動作可能であり、エンコーダ２はＣＰＵ７の制御により入力ディジタル映像信号を異なる複数のビットレートで圧縮符号化でき、デコーダ５は異なる複数のビットレートの圧縮信号を伸長処理できる。また、ここでは詳述しないが、ＨＤＤ部３及びＶＣＲ部４で映像信号と共に音声信号が記録再生可能であることは言うまでもない。
【００１４】
以下、本発明の実施例に係る信号記録再生装置の動作を説明する。使用者がアナログテレビジョン放送を録画する際は、アナログテレビジョン放送によるアナログ映像信号がＡ／Ｄ変換器１に入来し、Ａ／Ｄ変換器１は、このアナログ映像信号をディジタル映像信号に変換する。このようにして得たディジタル映像信号は、エンコーダ２にて高ビットレートの圧縮信号へと変換されて、この圧縮信号がＨＤＤ部３で記録される。
【００１５】
一方、ディジタルテレビジョン放送を録画する際は、ディジタルテレビジョン放送によるディジタル圧縮信号がＨＤＤ部３に入来し、ＨＤＤ部３はこの圧縮信号を記録する。ディジタルテレビジョン放送では、ＨＤＤ部３で記録した圧縮信号とは別に番組関連情報が伝送されており、ここで示す信号記録再生装置では、この番組関連情報に基づき記録した番組のインデックス情報を生成する。
【００１６】
このインデックス情報は、番組タイトル、番組の放送あるいは記録時間等により構成され、ディジタルテレビジョン放送を録画する際には、インデックス情報が自動生成されて図示しない管理領域に格納されるが、アナログテレビジョン放送を録画した際には、インデックス情報を使用者自身が作成し、管理領域に格納することになる。
【００１７】
そして、使用者は少なくともＨＤＤ部３のハードディスクに記録してある番組のインデックス情報を図示しない表示画面にて確認することができると共に、各番組毎に、消去プロテクトのフラグを付加することができる。また、このようにしてハードディスクに記録される各番組に対しては、未視聴フラグが付加され、一度再生が行われるとこのフラグが取り除かれる。なお、これらのフラグ情報もインデックス情報の一部として表示画面にて確認可能であるため、使用者は表示画面にて未視聴の番組を確認し、この未視聴の番組を選択してＨＤＤ部３で再生することも可能である。
【００１８】
そして、使用者が番組を選択してＨＤＤ部３で再生させると、再生された圧縮信号はデコーダ５で伸長処理され、更に、Ｄ／Ａ変換器６にてアナログ映像信号に変換された後に図示しないモニタへ出力される。以上のような動作にて、アナログテレビジョン放送あるいはディジタルテレビジョン放送による番組が記録再生されるが、アナログテレビジョン放送はエンコーダ２で高ビットレートの圧縮符号化処理が施された後に記録再生され、ディジタルテレビジョン放送は、圧縮伸長の処理を施すことなく記録再生されるため、これらの番組を画質劣化を伴うことなくモニタへと出力することが可能となる。
【００１９】
次に、ＨＤＤ部３におけるハードディスクの空き領域が減少し、新たな番組をＨＤＤ部３で記録できなくなった場合の動作について説明する。例えば、使用者がアナログテレビジョン放送あるいはディジタルテレビジョン放送を録画する際に、ハードディスクの空き領域が充分にない場合、ＨＤＤ部３で新たな番組の録画を開始すると同時に、ＣＰＵ７は管理領域に格納されている各番組のインデックス情報に基づき以下の如く処理を行う。
【００２０】
図２は、インデックス情報として各番組毎に付されているフラグをＣＰＵ７が確認するフローを示しており、ハードディスクに記録されている各番組に対して行う。ＣＰＵ７は、ハードディスクに記録されている各番組に対して未視聴フラグの有無を確認すると共に消去プロテクトフラグの有無を確認し、ハードディスク上に記録されている各番組がＡ乃至Ｄの何れのカテゴリーであるかを判別する
【００２１】
ここで、カテゴリーＡの番組は未視聴フラグと消去プロテクトフラグとが付された番組であり、カテゴリーＢの番組は未視聴フラグのみが付された番組であり、カテゴリーＣの番組は消去プロテクトフラグのみが付された番組であり、カテゴリーＤの番組は未視聴フラグも消去プロテクトフラグも付されていない番組である。
【００２２】
そして、次に、図３に示すフローに従い、消去またはコピーする番組を決定する。カテゴリーＤの番組がある場合には、カテゴリーＤで最も古い番組が記録されているハードディスク上の領域に新たな番組が上書き記録されるようＣＰＵ７がＨＤＤ部３を制御する。即ち、視聴済みであり、消去プロテクトフラグの付されていない番組がある場合には、そのような番組の最も古いものから順に上書き消去される。
【００２３】
また、カテゴリーＤの番組がなく、カテゴリーＣの番組がある場合には、カテゴリーＣで最も古い番組を再生しながら、再生を終えたハードディスク上の領域に新たな番組が上書き記録されるようＣＰＵ７がＨＤＤ部３を制御する。そして、ＨＤＤ部３で再生された番組は、ＶＣＲ部４で記録されるようＶＣＲ部４を制御する。
【００２４】
即ち、視聴済みの番組があるものの、視聴済みの番組としては消去プロテクトフラグの付されている番組しかない場合には、そのような番組が最も古いものから順に再生され、再生された番組がＶＣＲ部４で磁気テープに記録される。
【００２５】
また、カテゴリーＤの番組もカテゴリーＣの番組もなく、カテゴリーＢの番組がある場合には、カテゴリーＢで最も古い番組を再生しながら、再生を終えたハードディスク上の領域に新たな番組が上書き記録されるようＣＰＵ７がＨＤＤ部３を制御すると共に、再生された番組がＶＣＲ部４で記録されるようＶＣＲ部４を制御する。
【００２６】
即ち、視聴済みの番組がなく、未視聴の番組で消去プロテクトフラグの付されていない番組がある場合には、そのような番組が最も古いものから順に再生され、再生された番組がＶＣＲ部４で磁気テープに記録される。
【００２７】
そして、カテゴリーＡの番組しかない場合には、カテゴリーＡで最も古い番組を再生しながら、再生を終えたハードディスク上の領域に新たな番組が上書き記録されるようＣＰＵ７がＨＤＤ部３を制御すると共に、再生された番組がＶＣＲ部４で記録されるようＶＣＲ部４を制御する。
【００２８】
即ち、視聴済みの番組がなく、未視聴の番組として消去プロテクトフラグの付されている番組しかない場合には、そのような番組が最も古いものから順に再生され、再生された番組がＶＣＲ部４で磁気テープに記録される。
【００２９】
以上の如く優先順位に基づき、ハードディスク上の番組が消去またはコピーされるため、視聴を終え、且つ消去プロテクトのない例えば保存の必要のない番組がまず消去され、次に、視聴は終えたけれども消去プロテクトのある例えば使用者が保存の必要性を認識している番組がＶＣＲ部４に移される。
【００３０】
そして、視聴を終えた番組が存在しない場合には、未視聴で消去プロテクトのない例えば使用者がとりあえず記録しておいた番組がＶＣＲ部４に移され、上記いずれの番組もない場合には、未視聴で消去プロテクトのある例えば使用者が直ぐにでも視聴するつもりの番組がＶＣＲ部４に移される。以上のようにして、ハードディスク上に記録領域が確保されるため、新たな番組の記録を開始する際に充分な空き領域がなくても新たな番組を記録することが可能となる。
【００３１】
また、以上のように、新たな番組を記録しながらハードディスク上の番組を再生し、これをＶＣＲ部４で記録するものの、新たに記録する番組がディジタルテレビジョン放送によるものである場合には、ＨＤＤ部３で再生した番組のビットレートを下げてＶＣＲ部４で記録することができる。
【００３２】
即ち、ＨＤＤ部３で再生した番組をデコーダ５で一旦伸長処理し、更にエンコーダ２で低ビットレートの圧縮符号化処理を施すことにより、圧縮信号としての情報量を削減することが可能となる。つまり、エンコーダ２での圧縮率を高めることにより圧縮信号としての情報量を削減することが可能となる。
【００３３】
ここで、ＶＣＲ部４は、記録時間及び記録ビットレートが互いに異なる第１及び第２の記録モードを有し、第２の記録モードで記録する際には、第１の記録モードで記録する際と比べて、同一磁気テープを使用して記録時間をｎ倍（ｎは２以上の自然数）とすることができる一方、記録ビットレートが１／ｎ倍となる。
【００３４】
そして、ＨＤＤ部３で記録する圧縮信号のビットレートをＶＣＲ部４における第１の記録モードの記録ビットレートと一致されることにより、ＨＤＤ部３で記録した番組をその画質を維持したまま保存したい場合には、ＶＣＲ部４での記録モードを第１の記録モードとしてＨＤＤ部３からＶＣＲ部４に直接圧縮信号を出力する一方、磁気テープの使用量を削減して保存したい場合には、ＶＣＲ部４での記録モードを第２の記録モードとしてＨＤＤ部３から再生した圧縮信号をエンコーダ２で低ビットレートの圧縮信号に再度圧縮符号化処理してＶＣＲ部４で記録すれば良い。
【００３５】
なお、以上の説明では、リムーバブルな記録媒体としてＤ−ＶＨＳ方式の磁気テープを用い、リムーバブルでない記録媒体としてハードディスクを用いた例を示したが、ＨＤＤ部３及びＶＣＲ部４を他の方式の記録再生部と置きかえることにより、これ以外の記録媒体を用いることが可能であることは言うまでもない。
【００３６】
つまり、ＶＣＲ部４に代わり、リムーバブルな記録媒体を用いた例えばディスク記録再生手段を使用し、ＨＤＤ部３に代わりリムーバブルでない記録媒体を用いた他の方式の記録再生手段を使用しても良い。なお、ここでリムーバブルな記録媒体とは、記録再生手段から取り外しができる記録媒体を意味し、リムーバブルでない記録媒体とは記録再生手段から取り外しができない記録媒体を意味する。
【００３７】
また、以上の説明では、ＨＤＤ部３及びＶＣＲ部４が本信号記録再生装置の内部にあるものとして説明したが、ＨＤＤ部３あるいはＶＣＲ部４の何れか一方を他の構成としても構わない。例えば、ＨＤＤ部３を他の構成とした場合、エンコーダ２、デコーダ５、ＣＰＵ７及びＶＣＲ部４を少なくとも内蔵した第１の装置とＨＤＤ部３を内蔵した第２の装置との間をＩＥＥＥ１３９４規格に基づくディジタルインターフェイスで接続し、より記録容量の大きいＨＤＤ部との交換を行ったり、またＨＤＤ部の増設を行うことも可能である。
【００３８】
また、ＶＣＲ部４を他の構成とした場合、エンコーダ２、デコーダ５、ＣＰＵ７及びＨＤＤ部３を少なくとも内蔵した第３の装置とＶＣＲ部４を少なくとも内臓した第４の装置との間をＩＥＥＥ１３９４規格に基づくディジタルインターフェイスで接続することも可能である。
【００３９】
なお、その際、第３の装置をパソコンで構成し、第４の装置をディジタルテープレコーダで構成することも可能である。つまり、パソコン内のＣＰＵをＣＰＵ７、ハードディスク駆動装置をＨＤＤ部３として使用し、また、ソフトウェア処理またはオンボードのハードウェアでエンコーダ２及びデコーダ５での圧縮信号処理を実行することにより、パソコンとディジタルテープレコーダとにより本発明に係る信号記録装置を構成できる。
【００４０】
また、エンコーダ２、デコーダ５及びＣＰＵ７を少なくとも内蔵した第５の装置とＨＤＤ部３を内蔵した第６の装置とＶＣＲ部４を内蔵した第７の装置とを夫々ＩＥＥＥ１３９４規格に基づくディジタルインターフェイスで接続し、第５の装置をパソコンで構成しても良いことは言うまでもない。
【００４１】
【発明の効果】
請求項１に係る発明によれば、リムーバブルでない第２の記録媒体上に視聴済み且つ消去プロテクトされていない視聴プログラムが存在する場合には、まずこの視聴プログラムが記録されている領域を用いて新たな視聴プログラムを記録する一方、このような領域がない場合には、視聴済み且つ消去プロテクトされている視聴プログラムを再生すると共にこれをリムーバブルである第１の記録媒体に記録し、再生を終えた領域を用いて新たな視聴プログラムを記録するため、第２の記録媒体上に充分な空き領域がなくても新たな視聴プログラムを記録できるという効果を奏する。
【００４２】
また、請求項２に係る発明によれば、第２の記録媒体上に視聴済みの視聴プログラムが存在しない場合でも、未視聴の視聴プログラムを再生しながらこれを第１の記録媒体に記録し、再生を終えた領域を用いて新たな視聴プログラムを記録するため、第２の記録媒体上に充分な空き領域がなく、且つ視聴済みの視聴プログラムが記録されていない場合でも新たな視聴プログラムを記録できるという効果を奏する。
【００４３】
また、請求項３に係る発明によれば、第２の記録媒体から再生した視聴プログラムを第１の記録媒体で記録する際に、ビットレートが低減されるため、第１の記録媒体上により多くの視聴プログラムを記録できるという効果を奏する。
【図面の簡単な説明】
【図１】本発明に係る記録再生装置を説明するためのブロック図である。
【図２】各番組毎に付されているフラグを確認する流れを示す図である。
【図３】消去またはコピーする番組の順序を説明するための図である。
【符号の説明】
１…Ａ／Ｄ変換器
２…エンコーダ
３…ＨＤＤ部
４…ＶＣＲ部
５…デコーダ
６…Ｄ／Ａ変換器
７…ＣＰＵ
【図１】
0004345040.tif 000002
【図２】
0004345040.tif 000003
【図３】
0004345040.tif 000004